(57)【要約】【課題】  飲料入りの缶を直接保持し、缶の飲料を直接飲用でき、飲料のこぼれ、ごみ等の侵入を防ぐと共に持ち運びが容易にできる容器を提供する。【解決手段】  頭部にキャップ３を備えた飲用蓋１と有底筒状体の缶保持筒２とを着脱自在の螺合で連結する構造として備え、飲料入り缶容器Ｄを保持、収納し、飲料のこぼれ、ごみ等の侵入を防ぐと共に持ち運びが容易にできること、又、缶保持筒２に代るねじ環４を使用することで、飲料入り缶容器Dを保持し、飲料のこぼれ、ごみ等の侵入を防ぐと共に持ち運びが容易にできる飲料缶用飲用容器を提供する。【選択図】  図２
0003112545.tif 000002
【実用新案登録請求の範囲】
【請求項１】
飲料入り缶容器Ｄを保持、収納する有底筒状体の缶保持筒２と頭部にキャップ３を備えた飲用蓋１とを着脱自在の螺合で連結する構造として備え、飲料入り缶容器Ｄを保持、収納すると共に、缶飲み口部の外周１０ａを飲用蓋１の内周面で密着、密閉することを特徴とする飲料缶用飲用容器。
【請求項２】
缶保持筒２に代るねじ環４と飲用蓋１とを着脱自在の螺合で連結する構造として備え、飲料入り缶容器Ｄを保持すると共に、缶飲み口部の外周１０ａを飲用蓋１の内周面で密着、密閉することを特徴とする飲料缶用飲用容器。
【考案の詳細な説明】
【技術分野】
【０００１】
本発明は、缶ビール、缶ジュース等を保持、収納するのに好適な飲用容器に関する。
【背景技術】
【０００２】
従来、缶入りの冷えた飲料物や温まった飲料物をすぐに飲まず、あるいは全部飲まずに残し、飲み口からの飲料のこぼれ、ごみなどの侵入する不都合が生じるため携帯用容器等に入れて一時保管、あるいは持ち運んでいた。
【考案の開示】
【考案が解決しようとする課題】
【０００３】
飲料物入りの缶を直接保持し、缶の飲料を直接飲用でき、飲料のこぼれ、ごみ等の侵入を防ぐと共に持ち運びが容易にできる容器を提供する。
【課題を解決するための手段】
【０００４】
本発明のうち、請求項目１記載の発明は、頭部にキャップ３を備えた飲用蓋１と、有底筒状体の缶保持筒２とを着脱自在の螺合で連結する構造として備え、飲料入り缶容器Ｄを保持、収納し、飲料のこぼれ、ごみ等の侵入を防ぐと共に持ち運びが容易にできることを特徴とする。【０００５】
請求項目2記載の発明は、頭部にキャップ３を備えた飲用蓋１と、缶保持筒２に代るねじ環４とを着脱自在の螺合で連結する構造として備え、飲料入り缶容器Dを保持し、飲料のこぼれ、ごみ等の侵入を防ぐと共に持ち運びが容易にできることを特徴とする。
【考案の効果】
【０００６】
１．この発明の缶保持筒２を使用する場合の飲料缶用飲用容器は、飲料入り缶容器Ｄを保持、収納する事ができ、飲み残した飲料は密閉部材により、飲用容器の頭部、及び缶上部の飲み口を密閉し、飲料のこぼれ、塵の侵入を防ぐと共に持ち運びが容易にできる。又、飲料が炭酸系の場合には、缶内炭酸が抜けるのを防ぎ、美味しさを出来る限り損なわず、持続することができる。【０００７】
２．本発明のねじ環４を使用する場合の飲料缶用飲用容器は、飲料入り缶容器Ｄを収納することができ、飲み残した飲料は密閉部材により、飲料容器の頭部、及び缶上部の飲み口を密閉し、飲料のこぼれ、ごみ等の侵入を防ぐと共に持ち運びが容易にできる。又、飲料が炭酸系の場合には、缶内炭酸が抜けるのを防ぎ、美味しさを出来る限り損なわず、持続することができる。【０００８】
３．本発明による飲料缶用飲用容器は低価格で製作でき、缶保持筒２、飲用蓋１
に図柄や文字を表示することにより、広告、所有者名を入れることも可能であり、
スポンサーをつけて、飲料メーカのキャンペン期間のサービス品や、観光地の土
産品、催しの贈呈品、記念品などに幅広く活用できる。
【考案を実施するための最良の形態】
【０００９】
以下、図１乃至図６に示す実施例に基づいて本発明を具体的に説明する。
図１、図３及び図４は、缶収納筒２を有する飲料缶用飲用容器の第一実施形態を示すもので、飲用蓋１、缶保持筒２、キャップ３から構成される。透明な合成樹脂製の飲用蓋１は、上部外周に雄ねじ１ｂ、下部外周に雄ねじ１ａを有し、とっくり型の形状をし、その内周面には飲料入り缶容器Dの飲み口部の上部外周１０ａを密着、密閉させる形状で形成されている。
合成樹脂製のキャップ３は、内周に雌ねじ３ａを有する。
ステンレス製の缶保持筒２は、内側上部に雌ねじ２ａを有し、飲料入り缶容器Ｄを保持、収納する有底筒状体で形成されている。【００１０】
次に飲料缶用飲用容器に飲料入り缶容器Ｄを収納し、使用する場合について説明する。
飲料入り缶容器Ｄのふたを開け、缶保持筒２の筒内に収容する。
次に、飲料入り缶容器Ｄの上部を飲用蓋１で被覆し、外側下部の雄ねじ部１ａと缶保持筒２の内側上部の雌ねじ部２ａを螺合、連結し、雄ねじ１ａが螺合するに従って順じ下降し、飲料入り缶容器Ｄの飲み口部の上部外周１０ａと、飲用蓋１の内側中央内周が密着、密閉、固定される。更に、飲用蓋１の外周頭部の雄ねじ１ｂにキャップ３の内側の雌ねじ３ａをねじ込み飲料入り缶容器全体を密閉状態にすることで、缶内の飲料のこぼれ、ごみ等の侵入を防ぐと共に持ち運びが容易にできる。なお、飲料入り缶容器Ｄは、ステンレス製の缶保持筒2内に保持、収納されるため、多少の保冷、保温の効果を得ることができる。【００１１】
図２，図５及び図６は、缶保持筒２に代るねじ環４を有する飲料缶用飲用容器の第二実施形態を示すもので、飲用蓋１、キャップ３、ねじ環４から構成される。
ステンレス製のねじ環４は、飲用蓋１の外側下部の雄ねじ１aの径よりわずかに小さい径をもつ雌ねじ４ａを内側に有し、環状で形成されている。【００１２】
次に飲料缶用飲用容器に飲料入り缶容器Ｄを保持し、使用する場合について説明する。
飲料入り缶容器Ｄのふたを開け、上方から飲用蓋１を被覆する。
次に、ねじ環４を飲料入り缶容器Ｄの底面から挿入し、飲み口部の上部外周１０ａと飲用蓋１の内側中央内周とを密着、密閉させ、ねじ１ａとねじ環４の内側の雌ねじ４ａを螺合、連結し、雌ねじ４ａが螺合するに従って順じ上昇し、飲料入り缶容器Ｄの外周に飲用蓋１の雄ねじ１ａの内周面を密着させる。更に、飲用蓋１の外周頭部の雄ねじ部１ｂにキャップ３の内側の雌ねじ３ａをねじ込み飲料入り缶容器全体を密閉状態にすることで、飲料のこぼれ、ごみ等の侵入を防ぐと共に持ち運びが容易にできる。【００１３】
なお、本発明は上記実施例の材質に限定される事なく、下記任意の組合せの材質に変更してもよい。
（１）飲用蓋１、缶保持筒２、キャップ３、ねじ環４のすべてを樹脂製
（２）飲用蓋１、缶保持筒２、キャップ３、ねじ環４のすべてをアルミ製
（３）飲用蓋１、キャップ３をアルミ製、缶保持筒２、ねじ環４をステンレス製
（４）飲用蓋１、キャップ３を樹脂製、缶保持筒２、ねじ環４をアルミ製
【図面の簡単な説明】
【００１４】
【図１】本発明の缶保持筒を有する飲料缶用飲用容器の外観を示す実施例の斜視図である。
【図２】本発明のねじ環を有する飲料缶用飲用容器の外観を示す実施例の斜視図である。
【図３】本発明の缶保持筒を有する飲料缶用飲用容器の缶保持後の縦断面図である。
【図４】本発明の缶保持筒を有する飲料缶用飲用容器の缶保持前の縦断面図である。
【図５】本発明のねじ環を有する飲料缶用飲用容器の缶保持後の縦断面図である。
【図６】本発明のねじ環を有する飲料缶用飲用容器の缶保持前の縦断面図である。
【符号の説明】
【００１５】
Ｄ  被対象物(飲料入り缶容器)
１  飲用蓋
２  缶保持筒
３  キャップ
４  ねじ環
【図１】
0003112545.tif 000003
【図２】
0003112545.tif 000004
【図３】
0003112545.tif 000005
【図４】
0003112545.tif 000006
【図５】
0003112545.tif 000007
【図６】
0003112545.tif 000008